(57)【要約】【課題】嵩張らずかつ設置が容易な光表示装置及び光表示コーンの開発を提供する。【解決手段】本開示の光表示装置１０は、斜め下方に向けてレーザー光を出射するレーザーダイオードモジュール４０と、レーザーダイオードモジュール４０の出光部４２に重ねられ、レーザーダイオードモジュール４０にて点照射されるレーザー光を受光して、線照射に変換して出光させる光学部品４１とを有し、地面又は床面に、レーザー光の線照射によるレーザーラインＬ１を表示する。【選択図】図５
2020170129.tif 000002
【特許請求の範囲】
【請求項１】
レーザーダイオードモジュールと、
前記レーザーダイオードモジュールの出光部に重ねられ、前記レーザーダイオードモジュールにて点照射されるレーザー光を受光して、線照射に変換して出光させる光学部品とを有し、
地面又は床面に、前記レーザー光の前記線照射によるレーザーラインを表示する光表示装置。
【請求項２】
前記レーザーラインを、平行な１対のレーザーラインにして地面又や床面に表示する請求項１に記載の光表示装置。
【請求項３】
前記レーザーダイオードモジュールは、対をなし、
前記１対のレーザーラインのそれぞれが、別々の前記レーザーダイオードモジュールからのレーザー光にて表示される請求項２に記載の光表示装置。
【請求項４】
前記１対のレーザーラインの間隔を変更するために少なくとも一方の前記レーザーダイオードモジュールを回動可能に支持する回動支持部を有する請求項３に記載の光表示装置。
【請求項５】
前記１対のレーザーラインは、同じ前記レーザーダイオードモジュールからのレーザー光にて表示される請求項２に記載の光表示装置。
【請求項６】
前記光学部品は、前記レーザーラインに加えて文字又はマークがレーザー光によって前記地面又は床面に表示されるように、前記レーザーダイオードモジュールにて前記線照射される前記レーザー光を変換する請求項１乃至５の何れか１の請求項に記載の光表示装置。
【請求項７】
ＬＥＤを光源とする発光部を備え、
前記発光部の点灯と前記レーザーラインの表示とを交互に行う請求項１乃至６の何れか１の請求項に記載の光表示装置。
【請求項８】
前記光学部品を前記レーザーダイオードモジュールに対向配置した状態に保持するキャップを備える請求項１乃至７の何れか１の請求項に記載の光表示装置。
【請求項９】
追加表示用レーザーダイオードモジュールと、
前記追加表示用レーザーダイオードモジュールの出光部に重ねられ、前記追加表示用レーザーダイオードモジュールにて点照射されるレーザー光を受光して、文字又はマークを含んだ形状の照射に変換して出光させる追加表示用光学部品とを有し、
建造物の壁面又は天井面に前記文字又は前記マークをレーザー光にて表示する請求項１乃至８の何れか１の請求項に記載の光表示装置。
【請求項１０】
コーンの上部に装着されるコーン装着部と、
電池を収容する電池収容部と、
を有する請求項１乃至９の何れか１の請求項に記載の光表示装置。
【請求項１１】
平行な１対の前記レーザーラインを、前記コーンの側方に纏めて表示する請求項１０に記載の光表示装置。
【請求項１２】
平行な１対の前記レーザーラインの一方を、前記コーンの中心軸と直交する方向に延ばして表示し、他方を、前記コーンの側方に表示する請求項１０に記載の光表示装置。
【請求項１３】
コーンの上部に装着されるコーン装着部と、電池を収容する電池収容部と、を有し、
互いに直交する方向に延びる１対の前記レーザーラインを、それぞれ前記コーンの中心軸と直交する方向に延ばして表示する請求項１に記載の光表示装置。
【請求項１４】
コーンの上部に装着されるコーン装着部と、電池を収容する電池収容部とを有し、
一直線に並ぶ１対の前記レーザーラインを、前記コーンを間に挟んで表示する請求項１に記載の光表示装置。
【請求項１５】
コーンの上部に装着されるコーン装着部と、電池を収容する電池収容部とを有し、
４つの前記レーザーラインを、前記コーンを中心にして四方に延びるように表示する請求項１に記載の光表示装置。
【請求項１６】
前記コーン装着部は、コーンの上端の貫通孔に挿入可能になっている請求項１０乃至１６の何れか１の請求項に記載の光表示装置。
【請求項１７】
前記コーン装着部は、コーンの外側に嵌合される円錐状又は角錐状になっている請求項１０乃至１６の何れか１の請求項に記載の光表示装置。
【請求項１８】
光表示装置の装着対象物をクランプするためのクランパーと、
電池を収容する電池収容部と、
を有する請求項１乃至９の何れか１の請求項に記載の光表示装置。
【請求項１９】
前記電池は、二次電池であり、
前記電池を充電するためのソーラーパネルを備える請求項１０乃至１８の何れか１の請求項に記載の光表示装置。
【請求項２０】
コーンと、請求項１０乃至１９の何れか１の請求項に記載の光表示装置とを備えてなる光表示コーン。
【発明の詳細な説明】
【技術分野】
【０００１】
本発明は、光表示装置と、光表示装置を備える光表示コーンとに関する。
【背景技術】
【０００２】
例えば、地面や床面に、通路や資材置き場の等となる所定領域を明示する場合には、チョークやペンキ等で境界線を表示したり、通路用マットを敷設する等の処理が行われる（例えば、特許文献１参照）。
【先行技術文献】
【特許文献】
【０００３】
【特許文献１】特開閉１０−２３８１４４号（図１）
【発明の概要】
【発明が解決しようとする課題】
【０００４】
しかしながら、上述した従来の方法では、所定領域の明示作業にも、その明示を取り消す撤収作業にも手間がかかるという問題があり、それら作業を容易に行うことが可能な技術の開発が求められている。
【課題を解決するための手段】
【０００５】
上記課題を解決するためになされた請求項１の発明は、レーザーダイオードモジュールと、前記レーザーダイオードモジュールの出光部に重ねられ、前記レーザーダイオードモジュールにて点照射されるレーザー光を受光して、線照射に変換して出光させる光学部品とを有し、地面又は床面に、前記レーザー光の前記線照射によるレーザーラインを表示する光表示装置である。
【０００６】
なお、上記「線照射」には、レーザー光が連続した「光の線」となって被照射面に照射されるもののみならず、点の集合体である所謂「点線」となって被照射面に照射されるものも含まれる。
【０００７】
請求項２の発明は、前記レーザーラインを、平行な１対のレーザーラインにして地面又や床面に表示する請求項１に記載の光表示装置である。
【０００８】
請求項３の発明は、前記レーザーダイオードモジュールは、対をなし、前記１対のレーザーラインのそれぞれが、別々の前記レーザーダイオードモジュールからのレーザー光にて表示される請求項２に記載の光表示装置である。
【０００９】
請求項４の発明は、前記１対のレーザーラインの間隔を変更するために少なくとも一方の前記レーザーダイオードモジュールを回動可能に支持する回動支持部を有する請求項３に記載の光表示装置である。
【００１０】
請求項５の発明は、前記１対のレーザーラインは、同じ前記レーザーダイオードモジュールからのレーザー光にて表示される請求項２に記載の光表示装置である。
【００１１】
請求項６の発明は、前記光学部品は、前記レーザーラインに加えて文字又はマークがレーザー光によって前記地面又は床面に表示されるように、前記レーザーダイオードモジュールにて前記線照射される前記レーザー光を変換する請求項１乃至５の何れか１の請求項に記載の光表示装置である。
【００１２】
請求項７の発明は、ＬＥＤを光源とする発光部を備え、前記発光部の点灯と前記レーザーラインの表示とを交互に行う請求項１乃至６の何れか１の請求項に記載の光表示装置である。
【００１３】
請求項８の発明は、前記光学部品を前記レーザーダイオードモジュールに対向配置した状態に保持するキャップを備える請求項１乃至７の何れか１の請求項に記載の光表示装置である。
【００１４】
請求項９の発明は、追加表示用レーザーダイオードモジュールと、前記追加表示用レーザーダイオードモジュールの出光部に重ねられ、前記追加表示用レーザーダイオードモジュールにて点照射されるレーザー光を受光して、文字又はマークを含んだ形状の照射に変換して出光させる追加表示用光学部品とを有し、建造物の壁面又は天井面に前記文字又は前記マークをレーザー光にて表示する請求項１乃至８の何れか１の請求項に記載の光表示装置である。
【００１５】
請求項１０の発明は、コーンの上部に装着されるコーン装着部と、電池を収容する電池収容部と、を有する請求項１乃至９の何れか１の請求項に記載の光表示装置である。
【００１６】
請求項１１の発明は、平行な１対の前記レーザーラインを、前記コーンの側方に纏めて表示する請求項１０に記載の光表示装置である。
【００１７】
請求項１２の発明は、平行な１対の前記レーザーラインの一方を、前記コーンの中心軸と直交する方向に延ばして表示し、他方を、前記コーンの側方に表示する請求項１０に記載の光表示装置である。
【００１８】
請求項１３の発明は、コーンの上部に装着されるコーン装着部と、電池を収容する電池収容部と、を有し、互いに直交する方向に延びる１対の前記レーザーラインを、それぞれ前記コーンの中心軸と直交する方向に延ばして表示する請求項１に記載の光表示装置である。
【００１９】
請求項１４の発明は、コーンの上部に装着されるコーン装着部と、電池を収容する電池収容部とを有し、一直線に並ぶ１対の前記レーザーラインを、前記コーンを間に挟んで表示する請求項１に記載の光表示装置である。
【００２０】
請求項１５の発明は、コーンの上部に装着されるコーン装着部と、電池を収容する電池収容部とを有し、４つの前記レーザーラインを、前記コーンを中心にして四方に延びるように表示する請求項１に記載の光表示装置である。
【００２１】
請求項１６の発明は、前記コーン装着部は、コーンの上端の貫通孔に挿入可能になっている請求項１０乃至１６の何れか１の請求項に記載の光表示装置である。
【００２２】
請求項１７の発明は、前記コーン装着部は、コーンの外側に嵌合される円錐状又は角錐状になっている請求項１０乃至１６の何れか１の請求項に記載の光表示装置である。
【００２３】
請求項１８の発明は、光表示装置の装着対象物をクランプするためのクランパーと、電池を収容する電池収容部と、を有する請求項１乃至９の何れか１の請求項に記載の光表示装置である。
【００２４】
請求項１９の発明は、前記電池は、二次電池であり、前記電池を充電するためのソーラーパネルを備える請求項１０乃至１８の何れか１の請求項に記載の光表示装置である。
【００２５】
請求項２０の発明は、コーンと、請求項１０乃至１９の何れか１の請求項に記載の光表示装置とを備えてなる光表示コーンである。
【発明の効果】
【００２６】
［請求項１の発明］
請求項１の光表示装置では、レーザーラインを地面又は床面上に表示して、所定領域の境界線を容易に明示することができると共に、その明示を取り消す撤収作業も容易に行うことができる。
【００２７】
［請求項２の発明］
請求項２の構成によれば、レーザー光にて１対のレーザーラインを地面又は床面に表示して、地面上又は床面上に容易に帯状領域を明示することができる。なお、光表示装置を複数並べて複数対のレーザーラインを連ねることで、例えば、通路として利用されるような長く延びた帯状領域を容易に表示することができる。また、工事現場等で、長尺ものの荷物置場として帯状領域を利用することもできる。
【００２８】
［請求項３〜５の発明］
請求項３の光表示装置のように、１対のレーザーラインのそれぞれを別々のレーザーダイオードモジュールにて表示してもよいし、請求項５の光表示装置のように、１対のレーザーラインを、同じレーザーダイオードモジュールにて表示してもよい。また、請求項４の光表示装置のように、１対のレーザーラインの少なくとも一方を回動可能に支持して１対のレーザーラインの間隔を任意に変更可能としてもよい。
【００２９】
［請求項６の発明］
請求項６の構成のように、レーザーラインに加えて文字又はマークがレーザー光によって地面又は床面に表示されるようにしてよい。この場合、レーザーラインの意味を示唆又は説明する文字又はマークをレーザー光にて表示すれば、レーザーラインで仕切られた領域の誤った使用が防がれる。なお、文字又はマークの具体例として、例えば、「歩行者用通路」、「自転車用通路」、「荷物置き場」等が挙げられる。
【００３０】
［請求項７の発明］
請求項７の構成では、ＬＥＤを光源とする発光部を有するので、夜間に遠方から光表示装置を見つけることができる。また、発光部の点灯と１対のレーザーラインの表示とを交互に行うので、電力消費を抑えることができると共に、発光部と１対のレーザーラインとのそれぞれに観者の視線を向けさせることができる。
【００３１】
［請求項８の発明］
請求項８の光表示装置では、光学部品をレーザーダイオードモジュールに対向配置した状態に保持するキャップを備えたことで、光学部品を容易に交換することができる。これにより、１対のレーザーラインの間隔の変更や、レーザー光による文字又はマークの表示を容易に変更することができる。
【００３２】
［請求項９の発明］
請求項９の光表示装置によれば、建造物の壁面又は天井面にレーザー光にて表示する文字又はマークによってメッセージを伝えることができる。
【００３３】
［請求項１０〜１８の発明］
請求項１０〜１８の光表示装置によれば、コーンに装着するか建造物に装着して、任意の場所に光表示装置を容易に設置することができる。また、請求項１３〜１５の光表示装置を任意に組み合わせることで、地面又は床面を容易に任意の領域に仕切ることができる。
【００３４】
［請求項１９の発明］
請求項１９の光表示装置によれば、ソーラーパネルにて電池を充電するので、電池交換の手間を軽減することができる。
【００３５】
［請求項２０の発明］
請求項２０の光表示コーンを地面や床面に載置することで、任意の場所に光表示装置を容易に配置することができる。
【図面の簡単な説明】
【００３６】
【図１】第１実施形態の光表示コーンの側断面図
【図２】光表示装置の一部破断の側断面図
【図３】キャップ、光学部品、レーザーダイオードモジュールの斜視図
【図４】キャップ及び光学部品の断面図
【図５】光表示コーンの使用例の斜視図
【図６】変形例に係るキャップ、光学部品等の斜視図
【図７】第２実施形態の光表示装置の側断面図
【図８】第３実施形態の光表示コーンの斜視図
【図９】第４実施形態の光表示装置が取り付けられたガイドレールの斜視図
【図１０】第５実施形態の光表示装置が取り付けられたポールの斜視図
【図１１】第６実施形態の光表示装置の側断面図
【図１２】第７実施形態の光表示装置の斜視図
【図１３】第８実施形態の光表示装置の斜視図
【図１４】その光表示装置とコーンとからなる光表示コーンの斜視図
【図１５】第９実施形態の光表示コーンの斜視図
【図１６】第１０実施形態の光表示コーンの斜視図
【図１７】光表示コーンの組み合わせの使用例の斜視図
【図１８】第１１実施形態の光表示コーンの斜視図
【発明を実施するための形態】
【００３７】
［第１実施形態］
以下、図１〜図４を参照して第１実施形態の光表示コーン５０について説明する。この光表示コーン５０は、図１に示すように、広く市販されているコーン５１（「パイロン」や「ロードコーン」とも呼ばれる）に光表示装置１０を装着してなる。このコーン５１は、上端に貫通孔５２を有する。詳細には、コーン５１は、円錐筒状の側壁５１Ｓの上端から内側に張り出す環状壁５３を有し、その環状壁５３の内側が貫通孔５２になっている。また、環状壁５３には、その一部を四角形に切り欠いて角溝５３Ｍが形成されている。
【００３８】
光表示装置１０は、電池ケース１１と装置本体２０とに分離可能になっている。図２に示すように、電池ケース１１の内側部分は、例えば、二次電池である２つの電池９０を直列に上下に並べて収容可能な電池収容部１５になっている。そして、懐中電灯のように電池ケース１１に装置本体２０を螺合装着して、電池ケース１１の回路基板３０に電池９０が接続される。
【００３９】
具体的には、電池ケース１１は、下端有底、上端開放の筒状をなしている。また、電池ケース１１は、上端寄り位置より下側部分が均一外径の円筒状のボディ１２をなし、上端寄り位置より下側部分がボディ１２より外径が大きなストッパ部１３になっている。さらに、ストッパ部１３の下部は、ボディ１２から上方に向かって徐々に拡径するテーパー部１３Ａをなし、テーパー部１３Ａの上側が均一外径になっている。また、ボディ１２の外径は、コーン５１の貫通孔５２に挿入可能な大きさ（例えば、２０〜５０［ｍｍ］）をなし、ストッパ部１３は、コーン５１の貫通孔５２の開口縁に当接する。
【００４０】
ボディ１２の側面には、上端部と上下方向の中間部とに直方体状の側面突部１４Ａ，１４Ｂが設けられ、それら側面突部１４Ａ，１４Ｂは、ボディ１２の周方向で１８０°離れた位置に配置されている。また、側面突部１４Ａ，１４Ｂは、コーン５１に備えた角溝５３Ｍを通過可能な幅をなしている。
【００４１】
ボディ１２の底部内面には、電池９０の負極に接続する当接電極３９Ａが備えられ、その当接電極３９Ａに導通する電路３９Ｃが電池ケース１１の上部内側まで延びている。さらには、ストッパ部１３のうちテーパー部１３Ａより上側部分の内周面には、装置本体２０と連結するための雌螺子部１３Ｎが形成されている。
【００４２】
装置本体２０は、縦割りに２分割可能のハウジング２９の内部に回路基板３０等を収容してなる。また、装置本体２０は、電池ケース１１の雌螺子部１３Ｎに螺合する雄螺子部２１を下端部に備え、雄螺子部２１より上側部分がヘッド部２２になっている。その雄螺子部２１は、下端開放の筒状をなし、雄螺子部２１内の奥部に仕切壁２１Ｓが備えられている。そして、仕切壁２１Ｓの下面に、電池９０の正極に接続される当接電極３９Ｂが設けられると共に、雄螺子部２１の下端面には、当接電極３９Ａの電路３９Ｃと接触する当接電極３９Ｄが設けられている。そして、それら当接電極３９Ｂ，３９Ｄが仕切壁２１Ｓを貫通してヘッド部２２内の回路基板３０に接続されている。
【００４３】
ヘッド部２２は、円盤部２３と中継部２４とからなる。円盤部２３は、水平な中心軸を有し、その軸方向（即ち、水平方向）で扁平になっている。また、円盤部２３の外径は、電池ケース１１のストッパ部１３の外径より大きくなっている。そして、中継部２４によって円盤部２３と雄螺子部２１とが中継されている。その中継部２４は、下端部が雄螺子部２１に対応した円形をなし、上方に向かって円盤部２３に対応する扁平形状に徐変している。さらに、ハウジング２９の全体は、有色透明（例えば、赤色）の樹脂で構成され、ハウジング２９の内面には図示しない複数の突起が形成されて、次述するＬＥＤ３２の光が分散されるようになっている。また、例えば、ヘッド部２２の外周面の上部には、ソーラーパネル２２Ｓが貼り付けられている。
【００４４】
回路基板３０は、例えば円形をなし、ハウジング２９の円盤部２３内に中央部に固定されている。また、回路基板３０には、照度センサー３１と複数（例えば、６つ）のＬＥＤ３２とが実装されている。それら照度センサー３１及び複数のＬＥＤ３２の端子金具は、例えば、先端部を回路基板３０の図示しない貫通孔に挿入された状態で半田付けされると共に直角曲げされ、これにより照度センサー３１及びＬＥＤ３２が、回路基板３０の側方に張り出している。また、照度センサー３１は回路基板３０の上部中央から上方に張り出し、複数のＬＥＤ３２は、回路基板３０を周方向で複数等分（例えば、６等分）しかつ照度センサー３１を避けた位置から側方に張り出している。これにより、円盤部２３の全体が発光部２３Ｈ（図１参照）となって発光する。
【００４５】
円盤部２３の両側部の中継部２４寄り位置には、１対の支持筒部２８が左右対称に形成されている。それら支持筒部２８は、円盤部２３の側部を貫通する円筒状をなし、それらの中心軸は上下方向に対して例えば傾斜角１８°〜２２°で傾斜し、下端開口が斜め下方を向いている。また、支持筒部２８内の途中位置には、段付き状に拡径したフランジ嵌合溝２８Ａが形成されている。
【００４６】
１対の支持筒部２８には、それぞれキャップ２７を介してレーザーダイオードモジュール４０が取り付けられている。図３に示すように、レーザーダイオードモジュール４０は、円柱状をなし、先端中央に出射部４０Ａを有する。また、レーザーダイオードモジュール４０の軸方向の中央部から側方にフランジ４０Ｆが張り出している。そして、図２に示すように、レーザーダイオードモジュール４０の基端面から延びる配線４０Ｌが回路基板３０に接続されている。
【００４７】
図３に示すようにキャップ２７は、一端有底、他端開放の円筒体２７Ａの他端から側方にフランジ２７Ｆが張り出した構造をなしている。また、キャップ２７の一端の底壁２７Ｃの中心部には、貫通孔２７Ｄが形成されている。さらに、底壁２７Ｃの外面には、１対の角溝２７Ｅがクロスした状態に形成されている。そして、レーザーダイオードモジュール４０の先端部がキャップ２７の内側に圧入されて、レーザーダイオードモジュール４０のフランジ４０Ｆとキャップ２７のフランジ２７Ｆとが間隔を空けて対向している。そして、図２に示すように、フランジ２７Ｆが支持筒部２８のフランジ嵌合溝２８Ａに嵌合されると共に、レーザーダイオードモジュール４０のフランジ４０Ｆが支持筒部２８の上側端面に重ねられ、さらに、円筒体２７Ａが支持筒部２８から僅かに外側に突出した状態に組み付けられている。また、キャップ２７の外周面には、シール剤が塗布され、これにより防水が図られると共に支持筒部２８に対するキャップ２７の回り止めもされている。
【００４８】
図４に示すように、キャップ２７の内側奥部には、光学部品４１が嵌合されている。この光学部品４１は、透過性の樹脂であって、図３に示すように、円盤の表裏の一方を平坦面、他方を三角波の凹凸面とした構造をなしている。また、その凹凸面は、レーザーダイオードモジュール４０の出射部４０Ａと対向する受光面４１Ｊをなし、平坦面は、キャップ２７の貫通孔２７Ｄに対向する出光面４１Ｓになっている。そして、図４に示すように、レーザー光が、受光面４１Ｊに受光されて、それら各三角突条４１Ｔと直交する方向に引き延ばされる。これにより、複数の三角突条４１Ｔを通過したレーザー光が細長く延びた複数の楕円になりかつそれら楕円が繋がって直線になる。即ち、光学部品４１は、レーザーダイオードモジュール４０にて点照射されるレーザー光が透過し、線照射になるように変換する。そして、１対のレーザーダイオードモジュール４０のレーザー光により、互いに平行な１対のレーザーラインＬ１がコーン５１の両側に表示される。ここで、１対のレーザーラインＬ１が非平行である場合には、キャップ２７の支持筒部２８に対する回転位置を変更して平行になるように調整すればよい。その際に、角溝２７Ｅを利用することで調整を容易に行うことができる。
【００４９】
なお、上記した「線照射」には、レーザー光が連続した「光の線」となって被照射面に照射されるもののみならず、点の集合体である所謂「点線」となって被照射面に照射されるものも含まれる。また、光学部品４１は、点照射されるレーザー光が透過し、線照射になるように変換するものであれば、どのようなものであってもよく、例えば、楕円形状の凸レンズや、図６に示した多層構造の光学部品４１Ｖであってもよい。具体的には、同図の光学部品４１Ｖは、全体が円板状をなし、コア層となる透明の樹脂の両面に紫外線硬化樹脂層を積層して備える。そして、それら紫外線硬化樹脂層に、光ナノプリント技術により、出光部４２とそれ以外の部分とを区別して微細な凹凸を形成し、光学部品４１Ｖの一方の面に入光したレーザー光が、光学部品４１Ｖ内で乱反射して拡散し、他方の面における出光部４２のみから外部に出るようになっている。そして、出光部４２を直線形状にすることで前述の光学部品４１と同様に、１対のレーザーダイオードモジュール４０のレーザー光により、互いに平行な１対のレーザーラインＬ１がコーン５１の両側に表示される。また、出光部４２を点線状にすれば、点線のレーザーラインＬ１を表示することができる。
【００５０】
図２に示すように、回路基板３０には、電源回路３３とスイッチ回路３４とマイコン３５とインターフェース回路３６等が実装されている。そして、マイコン３５が、照度センサー３１の検出結果に基づき周囲が明るいと判断したときには、ソーラーパネル２２Ｓにて電池９０を充電する。また、マイコン３５は、照度センサー３１の検出結果に基づき周囲が暗くなったと判断したときには、ＬＥＤ３２の点灯とレーザーダイオードモジュール４０の駆動とを交互に行うようにスイッチ回路３４をスイッチングして、発光部２３ＨとレーザーラインＬ１とが交互に点滅させる。
【００５１】
光表示装置１０は、コーン５１に以下のようにして取り付けられる。即ち、光表示装置１０の下側の側面突部１４Ｂをコーン５１の角溝５３Ｍの真上に配置し、光表示装置１０のボディ１２をコーン５１の貫通孔５２に挿入する。そして、下側の側面突部１４Ｂが角溝５３Ｍを通過したら１８０°、光表示装置１０を回転させて上側の側面突部１４Ａを角溝５３Ｍに通す。すると、図１に示すように、側面突部１４Ａが角溝５３Ｍの下方に抜けたところで、ストッパ部１３がコーン５１の貫通孔５２の開口縁に当接する。このようにして、光表示装置１０のコーン５１に対する取り付けが完了し、光表示装置１０とコーン５１とから光表示コーン５０が構成される。
【００５２】
光表示コーン５０は、例えば図４に示すように工事現場等の境界線に沿って複数並べられる。その際、各光表示装置１０の円盤部２３の扁平方向を光表示コーン５０の並び方向に向けておけばよい。そして、周囲が暗くなると、ＬＥＤ３２が点灯すると共に、光表示コーン５０の列の両側に赤色のレーザー光の線である１対のレーザーラインＬ１がコーン５１の両側の路面に表示され、歩行者や自転車の通路として利用可能な帯状領域が明示される。ここで、本実施形態のように帯状領域の内側にコーン５１が配置された状態で帯状領域を通路として利用する場合は、コーン５１の中心から各レーザーラインＬ１までの距離を、例えば６０〜２００［ｃｍ］とすることが好ましい。そのようにすれば、コーン５１の一方側と他方側とを別々の通路として利用することができ、例えば、一方を歩行者用通路と他方を自転車用通路として分けることが可能になる。
【００５３】
このように本実施形態の光表示装置１０では、レーザーラインＬ１を地面又は床面上に表示することで、所定領域（本実施形態では、帯状領域）の境界線を容易に明示することができると共に、その明示を取り消す撤収作業も容易に行うことができる。また、電池９０を収容しているので、面倒な配線の取り廻しも不要である。さらに、光表示装置１０を複数並べて複数対のレーザーラインＬ１を連ねることで、通路として利用される長く延びた帯状領域を容易に表示することができる。しかも、光表示装置１０は、レーザーダイオードモジュール４０を光源としているので帯状領域を明確に示すことができる。また、光表示装置１０は、ヘッド部２２にＬＥＤ３２を光源とした発光部２３Ｈを備えるので、夜間に遠方から光表示装置１０を見つけることができ、光表示装置１０を警告灯としても利用することができる。また、発光部２３ＨとレーザーラインＬ１とを交互に点滅させるので、電力消費を抑えることができると共に、発光部２３Ｈと１対のレーザーラインＬ１とのそれぞれに観者の視線を向けさせることができる。さらには、光表示装置１０は、コーン５１から真上に引っ張っても側面突部１４Ａ，１４Ｂがコーン５１の貫通孔５２の下側開口縁に当接して抜けないので、光表示装置１０の盗難が防止される。また、ヘッド部２２が水平方向に扁平な形状をなしているので、レーザー光が出射していなくても、ヘッド部２２の扁平方向を調整することでレーザー光の出射方向を容易に調整することができる。
【００５４】
なお、本実施形態の光表示装置１０では、レーザーダイオードモジュール４０からキャップ２７を外して光学部品４１を交換することで、例えば、１対のレーザーラインＬ１の間隔を変えたり、円弧状に湾曲した１対のレーザーラインＬ１の表示に変えたりすることができる。また、コーン５１の両側にそれぞれ１対ずつのレーザーラインＬ１を表示する仕様に変更することもできる。さらには、１対のレーザーラインＬ１の間に、「歩行者用通路」とか「自転車用通路」という文字や、それらを意味するマークをレーザー光にて表示する仕様にしてもよい。なお、前述した多層構造の光学部品４１Ｖを使用することで、文字やマークのレーザー光による表示を容易に行うことができる。
【００５５】
［第２実施形態］
本実施形態は、図７に示すように、本実施形態の光表示装置１０Ａは、一方の支持筒部２８が前記第１実施形態と同様の構造及び同様の配置になっているのに対し、他方の支持筒部２８は前記第１実施形態と同様の構造であるが、中心軸が水平方向を向いた配置になっている。また、両支持筒部２８のキャップ２７内には、前述の多層構造の光学部品４１Ｖが備えられている。そして、一方の支持筒部２８の光学部品４１Ｖの出光部４２が１対の平行線の形状をなしている。また、他方の支持筒部２８の光学部品４１Ｖの出光部４２は、「歩行者注意」という文字列と、水平方向の一方を指した矢印のマークとを合わせた形状になっている。その他の構成は、第１実施形態と同じである。
【００５６】
本実施形態の光表示装置１０Ａによれば、コーン５１の一方側に１対のレーザーラインＬ１が纏めて表示される。このようにコーン５１の一方側に表示される１対のレーザーラインＬ１の間の帯状領域を通路として利用する場合は、それら１対のレーザーラインＬ１の間隔は、３０〜２００［ｃｍ］とすることが好ましい。なお、本実施形態における他方の支持筒部２８のレーザーダイオードモジュール４０は、特許請求の範囲の「追加表示用レーザーダイオードモジュール」に相当し、支持筒部２８の光学部品４１Ｖは、特許請求の範囲の「追加表示用光学部品」に相当する。
【００５７】
［第３実施形態］
本実施形態は、図８に示されており、第２実施形態の変形例であって、一方の支持筒部２８のキャップ２７内の光学部品４１Ｖの出光部４２が１本の直線形状をなしている。また、他方の支持筒部２８のキャップ２７内の光学部品４１Ｖの出光部４２は、「避難経路」という文字列と、水平方向の一方を指した矢印のマークとを合わせた形状になっている。その他の構成は、第１及び第２の実施形態と同じである。
【００５８】
本実施形態の光表示装置１０Ａをコーン５１に取り付けてなる光表示コーン５０Ａは、建物の内部に配置される。そして、一方のレーザーダイオードモジュール４０によって建物の床面に１対のレーザーラインＬ１を表示し、他方のレーザーダイオードモジュール４０にて壁面に「避難経路」及び「矢印」という光の文字列Ｌ２とマークＬ３とを表示する。このように本実施形態の光表示装置１０Ａでは、文字列Ｌ２とマークＬ３とを壁面を表示するので、それら文字列Ｌ２及びマークＬ３に含まれるメッセージによって、注意喚起の内容を看者に知らしめることができる。
【００５９】
なお、本実施形態の光表示装置１０Ａにおいて、床面にレーザー光を照射するレーザーダイオードモジュール４０を排除し、壁面にレーザー光を照射するレーザーダイオードモジュール４０のみを備えた構成としてもよい。また、注意喚起の内容を知らしめるために、文字列Ｌ２又はマークＬ３の一方のみを表示する構成としてもよい。
【００６０】
［第４実施形態］
図９に示された本実施形態の光表示装置１０Ｂは、前記第１実施形態の光表示装置１０から側面突部１４Ａ，１４Ｂを排除した構造をなしている。また、同図に示されたガイドレール８１を複数の支柱８２の上端部には、通常は反射鏡が取り付けられているが、それらが外されて上端孔が開口している。そして、複数の支柱８２の上端孔に光表示装置１０Ｂが挿入されている。そして、路肩や歩道に雪が堆積している場合に、それらの雪面にレーザー光のレーザーラインＬ１を表示する。これにより、堆積されている雪の高さを容易に確認することができる。
【００６１】
［第５実施形態］
図１０に示された本実施形態の雪面光表示機５５は、前記第４実施形態の光表示装置１０Ｂと、ブラケット５６とからなる。ブラケット５６は、円筒部５６Ａの側面にクランプ部５６Ｂを備えてなる。クランプ部５６Ｂは、例えば、バックル付きのベルト構造をなしている。そして、ブラケット５６のクランプ部５６Ｂが、降雪地帯の道路の縁部に並んで起立するポール５７に固定され、ブラケット５６の円筒部５６Ａに光表示装置１０Ｂが挿入されて取り付けられる。これにより、雪面にレーザー光のレーザーラインＬ１を表示することができ、第４実施形態と同様の効果を奏する。
【００６２】
［第６実施形態］
図１１に示した本実施形態の光表示装置１０Ｃは、前記第１実施形態の光表示装置１０を変形させたものであって、側方を向けて配置された一方の支持筒部２８Ｋが回動支持部２５によって上下に回動可能に支持された構造になっている。これにより、１対のレーザーラインＬ１の間隔を容易に変更することができる。なお、両方の支持筒部２８をヘッド部２２に対して回動可能に支持した構成としてもよい。
【００６３】
［第７実施形態］
本実施形態の光表示装置１０Ｄは、前記第２実施形態の光表示装置１０Ａを変形させたものであって、図１２に示すように複数の光学部品４１Ａ，４１Ｂ，４１Ｃ，４１Ｄを保持する回転盤２６が、ヘッド部２２に設けられた回転支持部２６Ｊに回転可能に支持されて、任意の光学部品を水平方向を向いたレーザーダイオードモジュール４０の出射部４０Ａに対向させることができるようになっている。また、光学部品４１Ａ，４１Ｂ，４１Ｃ，４１Ｄの出光部は異なる形状をなし、異なる光模様を表示することができるようになっている。さらには、回転盤２６の外縁部には、複数の光学部品４１Ａ，４１Ｂ，４１Ｃに対応する複数の係止凹部２６Ｔが形成されている。そして、ヘッド部２２に回動可能に支持された係合部材２６Ｋと、係合部材２６Ｋを回転盤２６側に付勢するバネ２６Ｓと、前記係止凹部２６Ｔとによってラッチ機構２６Ｒが構成されている。これにより、所望の光学部品４１Ａ，４１Ｂ，４１Ｃがレーザーダイオードモジュール４０の出射部４０Ａに対向した状態にラッチすることができる。本実施形態の光表示装置１０Ｄによれば、回転盤２６を回転操作するだけ、レーザー光による光の模様等を容易に変更することができる。
【００６４】
［第８実施形態］
図１３には、本実施形態の光表示装置１０Ｅが示され、図１４には、その光表示装置１０Ｅとコーン５１とからなる光表示コーン５０Ｂが示されている。図１３に示すように、光表示装置１０Ｅは、円筒状のネック部７９の下面側に円錐状のコーン装着部８０を備える一方、ネック部７９の上面側に前述のヘッド部２２を有する。そして、図１４に示すように、光表示装置１０Ｅは、コーン５１の上部に対してコーン装着部８０を被せて装着される。また、本実施形態の光表示装置１０Ｅでは、レーザーダイオードモジュール４０（図示せず）を支持する１対の支持筒部２８，２８が、ヘッド部２２ではなく、ネック部７９が備えられている。また、ネック部７９には、図示しない二次電池も収容されている。そして、図１４に示すように、一方の支持筒部２８は、平行な１対のレーザーラインＬ１の一方を、コーン５１の中心軸ＣＬ１と直交する方向に延ばして表示し、他方の支持筒部２８は、平行な１対のレーザーラインＬ１の他方方をコーン５１の側方に表示する。本実施形態の光表示コーン５０Ｂによっても前記第１実施形態と同様に作用効果を奏する。なお、本実施形態では、上記した支持筒部２８を左右に設けて、平行な３つのレーザーラインＬ１を地面に表示するようにしてもよい。
【００６５】
［第９実施形態］
図１５には、本実施形態の光表示装置１０Ｆを有する光表示コーン５０Ｃが示されている。この光表示装置１０Ｆは、前記第８実施形態の光表示装置１０Ｅを変形したものであって、ネック部７９の周方向を４等分する位置に４つの支持筒部２８が備えられている。そして、それらのうち互いに１８０度離れた２つの支持筒部２８内に図示しないレーザーダイオードモジュール４０が支持され、１対のレーザーラインＬ１をコーン５１を間に挟んで一直線に並ぶように表示する。
【００６６】
［第１０実施形態］
図１６には、本実施形態の光表示装置１０Ｇを有する光表示コーン５０Ｄが示されている。この光表示装置１０Ｇは、前記第９実施形態の光表示装置１０Ｅを変形したものであって、４つの支持筒部２８のうち隣合う２つの支持筒部２８内に図示しないレーザーダイオードモジュール４０が支持され、互いに直交する方向に延びる１対のレーザーラインＬ１を、それぞれコーン５１の中心軸ＣＬ１と直交する方向に延ばして表示する。
【００６７】
なお、第９と第１０の実施形態の光表示コーン５０Ｃ，５０Ｄを複数使用すれば、例えば、図１７（Ａ）及び図１７（Ｂ）に示すように、四角形の領域をレーザーラインＬ１で囲って明示することができる。また、光表示コーン５０Ｃ，５０Ｄを組み合わせることで任意の大きさ、任意の縦横比の四角形の領域を明示することができる。
【００６８】
［第１１実施形態］
図１８には、本実施形態の光表示装置１０Ｈを有する光表示コーン５０Ｅが示されている。この光表示装置１０Ｈは、前記第９実施形態の光表示装置１０Ｅを変形したものであって、４つの支持筒部２８の全てに図示しないレーザーダイオードモジュール４０が支持され、４つのレーザーラインＬ１がコーン５１を中心にして四方に延びるように表示する。この光表示装置１０Ｈを使用することで、前述のレーザーラインＬ１で囲まれた四角形の領域を４つの領域に区画することができる。
【００６９】
［他の実施形態］
（１）前記第１実施形態では、光表示装置１０が仮設された例を示した、光表示装置１０を例えば電柱等に固定して常設してもよい。
【００７０】
（２）前記各実施形態の光表示装置１０等は電池９０を備えていたが、電池９０を備えず、外部電源からケーブルにて電源を受電して作動するようにしてもよい。
【００７１】
（３）前記第１実施形態の光表示装置１０は、ソーラーパネル２２Ｓを備え、電池９０が二次電池になっていたが、ソーラーパネル２２Ｓを備えず、二次電池ではない電池を備えた構成としてもよい。
【００７２】
（４）光学部品の出光部の形状は、前述した各実施形態の形状に限定されるものでなく、どのような形状であってもよい。例えば、コーンの周囲を囲む円形や多角形であってもよいし、鎖形状であってもよい。また、災害時に、光表示装置にてトイレの場所や避難場所を指し示す文字列やマークをレーザー光で表示してもよい。
【００７３】
（５）また、光表示装置による照射対象は、階段、天井、架台であってもよい。例えば、工場などで、頭を殴打しそうな架台と床面との「頭上注意」というレーザー光の表示を行ってもよい。
【００７４】
（６）また、前記各実施形態のうちコーンの貫通孔に挿入して装着される光表示装置を、コーンに被せて装着可能な構成としてもよいし、コーンに被せて装着可能な光表示装置を、コーンの貫通孔に挿入して装着する構成としてもよい。
【００７５】
（７）前記第６実施形態ではヘッド部２２に対して支持筒部２８Ｋが回動可能に設けられていたが、ボディ１２に対してヘッド部２２を回動可能に連結して、レーザーダイオードモジュール４０によるレーザー光の照射方向を変更可能としてもよい。
【００７６】
（８）前記第１実施形態では、ストッパ部１３とヘッド部２２との間に境界線を備えていたが、ストッパ部１３とヘッド部２２との間に境界線がない構造としてもよい。例えば、円筒状のボディの上端部に球体を備え、その球体のうちコーン５１の上面に当接する部分をストッパ部とし、球体のうちストッパ部より上側部分をヘッド部としてもよい。
【００７７】
（９）前記第１実施形態の光表示装置１０にガードレールやフェンス等をクランプすることが可能なクランパーを光表示装置に備えてもよい。
【００７８】
（１０）また、バーの両端部にコーン装着部を備えて。１対のコーンの間に差し渡されるものに光表示装置を備えてもよい。その場合、バーの内部に光表示装置の主要部を内蔵してもよいし、コーン装着部の上方に光表示装置の主要部を備えてもよい。
【００７９】
（１１）上述した全ての光表示装置において、レーザーラインを表示せずに、それ以外のメッセージや光模様を表示するものとしてもよい。
【符号の説明】
【００８０】
１０，１０Ａ〜１０Ｈ    表示装置
１２    ボディ
１３    ストッパ部
２２    ヘッド部
２５    回動支持部
２６    回転盤
２６Ｊ  回転支持部
２６Ｒ  ラッチ機構
２７    キャップ
４０    レーザーダイオードモジュール
４０Ａ  出射部
４１，４１Ｖ，４１Ａ，４１Ｂ，４１Ｃ    光学部品
４２    出光部
５０，５０Ａ〜５０Ｅ    光表示コーン
５１    コーン
５２    貫通孔
５５    雪面光表示機
５６    ブラケット
５６Ｂ    クランプ部
５７    ポール
３２    ＬＥＤ
【図１】
2020170129.tif 000003
【図２】
2020170129.tif 000004
【図３】
2020170129.tif 000005
【図４】
2020170129.tif 000006
【図５】
2020170129.tif 000007
【図６】
2020170129.tif 000008
【図７】
2020170129.tif 000009
【図８】
2020170129.tif 000010
【図９】
2020170129.tif 000011
【図１０】
2020170129.tif 000012
【図１１】
2020170129.tif 000013
【図１２】
2020170129.tif 000014
【図１３】
2020170129.tif 000015
【図１４】
2020170129.tif 000016
【図１５】
2020170129.tif 000017
【図１６】
2020170129.tif 000018
【図１７】
2020170129.tif 000019
【図１８】
2020170129.tif 000020